(57)【要約】【課題】密閉性を確保しつつ、容器内部の内圧を高めることなく閉蓋できる包装用容器の内外嵌合構造を提供する。【解決手段】包装用容器１ａは、容器本体２と蓋３とを内外嵌合する構造１を開口部２４周縁に備え、内外嵌合構造１は、容器本体２に設けた嵌合凸部４と、蓋３に設けた嵌合凹部５とを備え、嵌合凸部４は、断面において、基端部側に逆テーパ状の下部傾斜面４１ａ，４１ｂと、先端部側にテーパ状の上部傾斜面４２ａ，４２ｂと、を備え、嵌合凸部４の容器内側に位置する上部傾斜面４２ａの長さＬ１を、容器外側に位置する上部傾斜面４２ｂの長さＬ２よりも長くしたことを特徴とする。【選択図】図３
2017137124.tif 000002
【特許請求の範囲】
【請求項１】
容器本体と蓋とを嵌合する包装用容器の内外嵌合構造において、
容器本体、蓋のいずれか一方に設けた嵌合凸部と、容器本体、蓋のいずれか他方に設けた、嵌合凸部に嵌め合せ可能な嵌合凹部とを備え、
嵌合凸部は、断面において、基端部側に逆テーパ状の下部傾斜面と、先端部側にテーパ状の上部傾斜面と、を備え、
嵌合凸部の容器内側に位置する上部傾斜面の長さを、嵌合凸部の容器外側に位置する上部傾斜面の長さよりも長くしたことを特徴とする包装用容器の内外嵌合構造。
【請求項２】
嵌合凸部の容器内側に位置する上部傾斜面は、嵌合凸部の高さ方向に対して２０°〜６０°の傾斜としたことを特徴とする請求項１に記載の包装用容器の内外嵌合構造。
【請求項３】
嵌合凸部の容器内側に位置する下部傾斜面は、嵌合凸部の高さ方向に対して０°〜３０°の傾斜とし、
嵌合凸部の容器内側に位置する下部傾斜面と上部傾斜面とは、嵌合凸部の容器内側の高さに対して２５％〜９０％の高さで交わる、
ことを特徴とする請求項２に記載の包装用容器の内外嵌合構造。
【請求項４】
嵌合凸部の容器内側に位置する上部傾斜面の嵌合凸部の高さ方向に対しての角度を、嵌合凸部の容器外側に位置する上部傾斜面の高さ方向に対しての角度よりも小さくしたことを特徴とする請求項１〜３のいずれかに記載の包装用容器の内外嵌合構造。
【請求項５】
請求項１〜４のいずれかに記載の内外嵌合構造を備えた包装用容器。
【発明の詳細な説明】
【技術分野】
【０００１】
本発明は、合成樹脂シートから成形され、主に食品など汁が滲出する内容物を包装するのに適した包装用容器の内外嵌合構造及びそれを備えた包装用容器に関する。
【背景技術】
【０００２】
スーパー、コンビニエンスストアやデパートなどの小売店の食品売り場には、弁当、野菜、果物、お惣菜などの食品が陳列されており、これらは透明な合成樹脂シートを成形した包装用容器で包装されたものが多く見られる。
弁当、野菜、果物、お惣菜などの食品は、汁が滲出することがあり、容器内部に汁が溜まることがある。また、出汁などの液体を封入しなければならない場合もある。そのため、食品を包装した容器が傾いた場合に汁が漏出してしまうことがある。
【０００３】
そこで、下記特許文献１には、周縁部に被嵌合部を有する容器本体と、この容器本体の被嵌合部に嵌合可能な嵌合部を有する蓋体とで構成された包装用容器であって、前記被嵌合部に対して前記嵌合部が実質的に対応したサイズに形成されており、前記蓋体による容器本体の閉塞操作に伴って、前記被嵌合部の内壁に対して前記嵌合部の内壁による押し付け力が作用し、被嵌合部と嵌合部とが嵌合可能である、惣菜類を収容しても汁類が漏出するのを確実に防止できる包装用容器が示されている。
【０００４】
下記特許文献２には、側壁の上部に嵌合突条を周設した容器本体と、前記嵌合突条に嵌合される嵌合凹条を周設した蓋体とからなる内外嵌合型の包装用容器であって、前記容器本体の底面から前記嵌合突条に至る前記側壁に、前記蓋体側の当接平面が当接することになる当該容器本体側の当接平面の一部を残しながら、前記蓋体側の当接平面の当接を回避する傾斜面を形成したことを特徴とする、密閉性を確保しながら、収納物の噛み込みをも防止できる内外嵌合型の包装用容器が示されている。
【０００５】
【特許文献１】特開２００２−１９３２９２号公報
【特許文献２】特開２００７−１７６５０７号公報
【発明の概要】
【発明が解決しようとする課題】
【０００６】
内外嵌合構造を備えた包装用容器は、密閉性が高く、食品の汁などの漏出を防ぐことができ、汁気の多い食品などの包装に適したものである。
しかし、内外嵌合構造は、密閉性が高いため、閉蓋の際に容器内部の圧力が高まり、図７（Ａ）に示すように、蓋の天板部が膨らみ隆起した形状になってしまうことがあった。また、図７（Ｂ）に示すように、蓋がしっかりと閉じることができず全体又は一部が浮いた状態になり、容器本体と蓋との間に隙間が生じ、汁漏れを起こしてしまうこともあった。
【０００７】
そこで、本発明の目的は、密閉性を確保しつつ、容器内部の内圧を高めることを抑制しながら容易に閉蓋できる包装用容器の内外嵌合構造及びそれを備えた包装用容器を提供することにある。
【課題を解決するための手段】
【０００８】
本発明の一実施形態の包装用容器の内外嵌合構造は、容器本体と蓋とを嵌合する包装用容器の内外嵌合構造において、容器本体、蓋のいずれか一方に設けた嵌合凸部と、容器本体、蓋のいずれか他方に設けた、嵌合凸部に嵌め合せ可能な嵌合凹部とを備え、嵌合凸部は、断面において、基端部側に逆テーパ状の下部傾斜面と、先端部側にテーパ状の上部傾斜面と、を備え、嵌合凸部の容器内側に位置する上部傾斜面の長さを、嵌合凸部の容器外側に位置する上部傾斜面の長さよりも長くしたことを特徴とする。
【０００９】
上記包装用容器の内外嵌合構造は、閉蓋しやすいものである。汁漏れなどの防止性能を有する従来の内外嵌合構造の包装用容器は、気密性を高めてあり閉蓋の際に内部の空気が抜けにくいものである。これに対し、上記内外嵌合構造は、嵌合凸部の容器内側に位置する上部傾斜面の長さを、嵌合凸部の容器外側に位置する上部傾斜面の長さよりも長くしたため、内部と外部の空気を一瞬で遮断することを防ぎ、容器内側の嵌合部分が嵌り合う間に、容器内部の空気をスムーズに排出することができ、容器本体内部の内圧が下がり閉蓋しやすくなるものと推測される。
【００１０】
上記実施形態の包装用容器の内外嵌合構造は、嵌合凸部の容器内側に位置する上部傾斜面は、嵌合凸部の高さ方向に対して２５°〜５０°の傾斜とすることができる。
【００１１】
このような構成にすることにより、閉蓋の際に容器内部の内圧を適切に下げることができ閉蓋しやすくなる。
【００１２】
上記実施形態の包装用容器の内外嵌合構造は、嵌合凸部の容器内側に位置する下部傾斜面は、嵌合凸部の高さ方向に対して０°〜３０°の傾斜とし、嵌合凸部の容器内側に位置する下部傾斜面と上部傾斜面とは、嵌合凸部の容器内側の高さに対して２５％〜９０％の高さで交わる構成にすることができる。
【００１３】
嵌合凸部の容器内側に位置する下部傾斜面の角度及び高さを上記範囲にすることにより、閉蓋した際に密封性を維持しながら、開蓋しやすい容器になる。
【００１４】
上記実施形態の包装用容器の内外嵌合構造は、嵌合凸部の容器内側に位置する上部傾斜面の嵌合凸部の高さ方向に対しての角度を、嵌合凸部の容器外側に位置する上部傾斜面の高さ方向に対しての角度よりも小さくすることができる。
【００１５】
このような構成にすることにより、容器外側の上部傾斜面が容器本体の底面部に対して並行状になり、嵌合凹部が嵌合凸部に嵌り合う際に、嵌合凹部の縁部が押し広げられることになる。そのため、容器外側の嵌合部分が嵌り合う間に容器本体内部の空気が抜けて内圧を下げることができ、閉蓋しやすくなる。
【００１６】
本発明は、上記内外嵌合構造を備えた包装用容器も対象とする。
【図面の簡単な説明】
【００１７】
【図１】本発明の一実施形態の包装用容器の斜視図である。
【図２】図１の包装用容器の断面図である。
【図３】図１の包装用容器の部分拡大断面図である。
【図４】図３の部分拡大断面図に寸法線を付した図である。
【図５】図１の包装用容器の閉蓋状態を示した部分拡大断面図である。
【図６】図１の包装用容器を閉蓋する途中の状態を示した部分拡大断面図である。
【図７】従来の包装用容器の内外嵌合構造を例示した図である。
【発明を実施するための形態】
【００１８】
以下、本発明の包装用容器の内外嵌合構造の一実施形態を、図面に基づいて説明する。
【００１９】
本発明の一実施形態の包装用容器の内外嵌合構造１は、図１又は図２に示すように、嵌合凸部４と嵌合凹部５とからなり、例えば、野菜や惣菜などの食品を収容する包装用容器１ａに用いることができる。
以下、包装用容器１ａについて説明する。包装用容器１ａは、図１又は図２に示すように、容器本体２と蓋体３とを備えている。
【００２０】
容器本体２及び蓋体３は、例えば、シート厚０．１ｍｍ〜３ｍｍ、好ましくは０．２ｍｍ〜１．５ｍｍの合成樹脂シートを熱成形して製造することができる。合成樹脂シートとしては、発泡、非発泡を問わず、例えば、ポリエチレン系樹脂シートやポリプロピレン系樹脂シートなどのポリオレフィン系樹脂シート、ポリスチレン系樹脂シート、ポリエチレンテレフタレート系樹脂シートやグリコール変性ポリエチレンテレフタレート系樹脂シートなどのポリエステル系樹脂シートなどの熱可塑性樹脂シートを挙げることができる。また、積層シートを用いることもでき、積層シートとしては、例えば、発泡シートにフィルムをラミネートしたフィルムラミネート発泡シート、共押出ラミネートシート、押出ラミネートシートなどを挙げることができる。シート厚は、容器本体２と蓋体３とで異なってもよい。
熱成形としては、真空成形、圧空成形、真空圧空成形、熱板成形などを挙げることができる。
容器本体２及び蓋体３は、黒色や白色などの有色でもよいが、内部が視認できるように透明乃至半透明であることが好ましい。蓋体３は、内部を視認できるようにするため透明であることが好ましく、蓋体３を透明、容器本体２を白色にするなど両者が相違してもよい。また、容器本体２及び蓋体３には、模様などのデザインを付してもよい。
【００２１】
容器本体２は、図１又は図２に示すように、逆円錐台形状であり、平面視円板状の底面部２１の周縁に、上方に開拡しながら傾斜する周壁部２２が形成してある。容器本体２の形状は、これに限定されるものではなく、直方体状、立方体状、円柱状、六角柱状など様々な形状とすることができる。
容器本体２の内部を食品などが収容できる収容部２３とし、その上部を開口部２４としてある。開口部２４の周縁部には、外方に張り出す鍔部２５が全周に渡り形成してある。鍔部２５の面上には、上方に突出した嵌合凸部４が全周に渡り形成してあり、蓋体３を脱着可能に嵌合できるようにしてある。鍔部２５の外縁の一部には、平面視半円乃至三角状に張り出した摘み部２６が形成してある。
【００２２】
嵌合凸部４は、図３又は図４に示すように、断面において、下側を逆テーパ状に形成し、つまり、先端部に向かい先太りするように形成し、上側をテーパ状に形成し、つまり、先端部に向かい先細りするように形成してある。嵌合凸部４の下側を下部傾斜面４１ａ，４１ｂ、上側を上部傾斜面４２ａ，４２ｂとしてある。嵌合凸部４の先端側の先端面部４３は、平面状としてある。
下部傾斜面４１ａ及び上部傾斜面４２ａ或いは下部傾斜面４１ｂ及び上部傾斜面４２ｂは、連続するように形成してもよいが、これらの間に垂直面など他の面を介在させてもよい。
【００２３】
嵌合凸部４は、図３に示すように、容器内側に位置する上部傾斜面４２ａの長さＬ１を、容器外側に位置する上部傾斜面４２ｂの長さＬ２よりも長くしてある。上部傾斜面４２ａの長さＬ１は、特に限定するものではないが、好ましくは１．５ｍｍ〜２０ｍｍ、特に好ましくは２ｍｍ〜１０ｍｍ、さらに好ましくは３ｍｍ〜８ｍｍである。上部傾斜面４２ｂの長さＬ２は、特に限定するものではないが、好ましくは０．３ｍｍ〜１５ｍｍ、特に好ましくは０．５ｍｍ〜１０ｍｍ、さらに好ましくは１ｍｍ〜４ｍｍである。
【００２４】
嵌合凸部４の容器内側の高さ（本実施形態では下部傾斜面４１ａの下端部からの突出幅；図４の寸法ｈ１）は、特に限定するものではないが、好ましくは２ｍｍ〜３０ｍｍ、特に好ましくは３ｍｍ〜１５ｍｍ、さらに好ましくは４ｍｍ〜６ｍｍである。
【００２５】
嵌合凸部４の容器外側の高さ（本実施形態では鍔部２５上面からの突出幅；図４の寸法ｈ５）は、嵌合凸部４の容器内側の高さと同じでも相違していてもよく、特に限定するものではないが、好ましくは２ｍｍ〜３０ｍｍ、特に好ましくは３ｍｍ〜１５ｍｍ、さらに好ましくは４ｍｍ〜６ｍｍである。
【００２６】
嵌合凸部４の容器内側の下部傾斜面４１ａは、断面において、容器内側に傾く平面状の傾斜面としてあり、嵌合凸部４の高さ方向（図４の矢印Ｘ方向、以下同じ）に対しての角度（図４のθ１）は、好ましくは０°〜３０°、特に好ましくは０°を超え３０°未満、さらに好ましくは５°〜２０°である。
【００２７】
嵌合凸部４の容器内側の上部傾斜面４２ａは、断面において、容器外側に傾く平面状の傾斜面としてあり、上部傾斜面４２ａの嵌合凸部の高さ方向に対しての角度（図４のθ２）を、上部傾斜面４２ｂの高さ方向に対しての角度（図４のθ４）よりも小さくするのが好ましい。上部傾斜面４２ａの嵌合凸部４の高さ方向に対しての角度（θ２）は、より具体的には、好ましくは２０°〜６０°、特に好ましくは２５°〜５０°、さらに好ましくは３０°〜４０°である。
【００２８】
下部傾斜面４１ａと上部傾斜面４２ａとは、嵌合凸部４の容器内側の高さ（ｈ１）に対して２５％〜９０％の高さ（図４のｈ２）で交わるようにする。好ましくは４５％〜８５％、特に好ましくは５０％〜８２％、さらに好ましくは５５％〜８０％の高さである。具体的には、好ましくは１ｍｍ〜２７ｍｍ、特に好ましくは２ｍｍ〜１３ｍｍ、さらに好ましくは３ｍｍ〜５ｍｍの高さで交わるようにするのが好ましい。
【００２９】
嵌合凸部４の容器外側の下部傾斜面４１ｂは、断面において、容器外側に傾く平面状の傾斜面としてあり、嵌合凸部４の高さ方向に対しての角度（図４のθ３）は、０°〜３０°、好ましくは０°〜２０°、特に好ましくは０°を超え２０°未満、さらに好ましくは２°〜１０°である。
【００３０】
嵌合凸部４の容器外側の上部傾斜面４２ｂは、断面において、容器内側に傾く平面状の傾斜面としてあり、嵌合凸部４の高さ方向に対しての角度（図４のθ４）は、１５°〜７０°、好ましくは２０°〜５０°、特に好ましくは２５°〜５０°、さらに好ましくは２５°〜４５°である。
本実施形態では、下部傾斜面４１ａ，４１ｂは非対称形状な逆テーパ状に形成してあるが、これに限定されるものではなく、対称形状な逆テーパ状にしてもよい。
【００３１】
先端面部４３は、面幅（図４のＷ１）を好ましくは０．５ｍｍ〜２０ｍｍ、特に好ましくは１ｍｍ〜１０ｍｍとした平面視円環状に形成してある。
先端面部４３は、本実施形態では、水平面状に形成してあるが、これに限定するものではなく、傾斜面状や断面において膨らませた凸曲面状或いは凹ませた凹曲面状に形成してもよい。
【００３２】
蓋体３は、図１又は図２に示すように、円形平板状の天板部３１の周縁に、上方に突出した嵌合凹部５が全周に渡り形成してある。嵌合凹部５は、断面において、嵌合凸部４よりも肉厚分一回り大きい嵌合凸部４の相似形状としてあり、嵌合凹部５の内部に嵌合凸部４が嵌まり、容器本体２に蓋体３が閉蓋することができる。蓋体３の外縁の周囲には鍔部３２が若干外方に張り出すように形成してあり、その一部には、平面視半円乃至三角状に張り出した摘み部３３が形成してある。
蓋体３の形状は、特に限定するものではなく、容器本体２の開口部２４を覆う形状としてあればよい。
蓋体３の天板部３１の中心（中央）付近は予め若干撓ませた形状にすることもできる。このようにすることにより、蓋体３を容器本体２に嵌合した際に内圧により天板部３１を平板状にすることができる。
【００３３】
嵌合凹部５は、嵌合凸部４に対応する形状とすればよいが、より具体的には以下のとおりである。
嵌合凹部５は、図３又は図４に示すように、断面において、下側を逆テーパ状に形成し、上側をテーパ状に形成してあり、下側を下部傾斜面５１ａ，５１ｂ、上側を上部傾斜面５２ａ，５２ｂとしてある。嵌合凹部５の先端側の先端面部５３は、平面状としてある。嵌合凹部５の蓋体裏面側は、開口部５４とし、嵌合凸部４を挿入できるようにしてある。
【００３４】
嵌合凹部５は、図３に示すように、蓋体内側に位置する上部傾斜面５２ａの長さＬ３を、蓋体外側に位置する上部傾斜面５２ｂの長さＬ４よりも長くしてある。上部傾斜面５２ａの長さＬ３は、特に限定するものではないが、好ましくは１．５ｍｍ〜２０ｍｍ、特に好ましくは２ｍｍ〜１０ｍｍ、さらに好ましくは３ｍｍ〜８ｍｍである。上部傾斜面５２ｂの長さＬ４は、特に限定するものではないが、好ましくは０．３ｍｍ〜１５ｍｍ、特に好ましくは０．５ｍｍ〜１０ｍｍ、さらに好ましくは１ｍｍ〜４ｍｍである。
【００３５】
嵌合凹部５の蓋体内側の高さ（本実施形態では下部傾斜面５１ａの下端部からの突出幅；図４の寸法ｈ３）は、特に限定するものではないが、２ｍｍ〜３０ｍｍ、特に３ｍｍ〜１５ｍｍ、さらに好ましくは４ｍｍ〜６ｍｍが好ましい。
【００３６】
嵌合凹部５の蓋体外側の高さ（本実施形態では蓋体３の鍔部３２上面からの突出幅；図４の寸法ｈ６）は、嵌合凹部５の蓋体内側の高さと同じでも相違していてもよく、特に限定するものではないが、２ｍｍ〜３０ｍｍ、特に３ｍｍ〜１５ｍｍ、さらに好ましくは４ｍｍ〜６ｍｍが好ましい。
【００３７】
嵌合凹部５の蓋体内側の下部傾斜面５１ａは、断面において、蓋体内側に傾く平面状の傾斜面としてあり、嵌合凹部５の高さ方向（図４の矢印Ｙ方向、以下同じ）に対しての角度（図４のθ５）は、好ましくは０°〜３０°、特に好ましくは０°を超え３０°未満、さらに好ましくは５°〜２０°である。
【００３８】
嵌合凹部５の蓋体内側の上部傾斜面５２ａは、断面において、容器外側に傾く平面状の傾斜面としてあり、上部傾斜面５２ａの嵌合凹部の高さ方向に対しての角度（図４のθ６）を、上部傾斜面５２ｂの高さ方向に対する角度（図４のθ８）よりも小さくするのが好ましい。嵌合凹部５の高さ方向に対しての角度（θ６）は、より具体的には、好ましくは２０°〜６０°、特に好ましくは２５°〜５０°、さらに好ましくは３０°〜４０°である。
【００３９】
下部傾斜面５１ａと上部傾斜面５２ａとは、嵌合凹部５の高さ（ｈ３）に対して２５％〜９０％の高さ（図４のｈ４）で交わるようにする。好ましくは４５％〜８５％、特に好ましくは５０％〜８２％、さらに好ましくは５５％〜８０％の高さである。具体的には、好ましくは１ｍｍ〜２７ｍｍ、特に好ましくは２ｍｍ〜１３ｍｍ、さらに好ましくは３ｍｍ〜５ｍｍの高さで交わるようにするのが好ましい。
【００４０】
嵌合凹部５の蓋体外側の下部傾斜面５１ｂは、断面において、蓋体外側に傾く平面状の傾斜面としてあり、嵌合凹部５の高さ方向に対しての角度（図３のθ７）を、０°〜３０°、好ましくは０°〜２０°、特に好ましくは０°を超え２０°未満、さらに好ましくは２°〜１０°としてある。
【００４１】
嵌合凹部５の蓋体外側の上部傾斜面５２ｂは、断面において、蓋体内側に傾く平面状の傾斜面としてあり、嵌合凹部５の高さ方向に対しての角度（図３のθ８）を、１５°〜７０°、好ましくは２０°〜５０°、特に好ましくは２５°〜５０°、さらに好ましくは２５〜４５°としてある。
本実施形態では、下部傾斜面５１ａ，５１ｂは非対称形状な逆テーパ状に形成してあるが、これに限定されるものではなく、嵌合凸部４に対応するように形成してあればよく、例えば、対称形状な逆テーパ状にしてもよい。
【００４２】
先端面部５３は、面幅Ｗ２を好ましくは０．５ｍｍ〜２０ｍｍ、特に好ましくは１ｍｍ〜１０ｍｍとした平面視円環状に形成してある。
先端面部５３は、本実施形態では、水平面状に形成してあるが、これに限定するものではなく、傾斜面状や断面において上方に膨らませた凸曲面状又は凹ませた凹曲面状に形成してもよい。
【００４３】
本実施形態では、容器本体２に上方に突出した嵌合凸部４を設け、蓋体３に嵌合凹部５を設けてあるが、これに限定するものではなく、例えば、容器本体２側を下向きに突出させ、容器本体２に嵌合凹部を設け、蓋体３に嵌合凸部を設けてもよい。
【００４４】
このような包装用容器１ａにおいて、容器本体２に蓋体３を閉蓋するには、例えば、容器本体２の開口部２４の上部から蓋体３を被せ、嵌合凹部５の内部に嵌合凸部４が嵌まるように押し込むことにより、図５に示すように、閉蓋できる。また、蓋体３を開蓋するには、例えば、各摘み部２６，３３を摘み、それぞれを上下反対方向に引くことにより開蓋できる。
【００４５】
包装用容器１ａは、閉蓋状態において、蓋体３の浮き上がりを抑制し、天板部３１を膨らみにくくすることができるものである。これは、上部傾斜面４２ａの長さを上部傾斜面４２ｂよりも長さを長く形成してあるため、図６に示すように、嵌合凸部４の容器内側部分が時間を掛けて閉蓋され、内部と外部の空気を一瞬で遮断することを防ぎ、容器内部の空気がスムーズに排出され、容器本体２内部の内圧が下がり、閉蓋がしやすくなるものと推測される
【００４６】
また、上部傾斜面４２ａの傾斜角度（θ２）を嵌合凸部４の高さ方向に対して２０°〜６０°の傾斜とすることにより、より閉蓋しやすくなる。
【００４７】
さらに、下部傾斜面４１ａを、嵌合凸部４の高さ方向に対しての角度（θ１）が０°〜３０°になる傾斜とし、下部傾斜面４１ａと上部傾斜面４２ａとが、嵌合凸部４の容器内側の高さ（ｈ１）に対して２５％〜９０％の高さ（ｈ２）で交わるようにすることにより、嵌合凸部４の高さ方向と並行状になり、抜けやすく開蓋しやすい容器になる。
【００４８】
上部傾斜面４２ａの嵌合凸部４の高さ方向に対しての角度（θ２）を、上部傾斜面４２ｂの高さ方向に対しての角度（θ４）よりも小さくすることにより、上部傾斜面４２ｂが容器本体２の底面部２１に対して並行状になり、嵌合凹部５が嵌合凸部４に嵌り合う際に、嵌合凹部５の縁部が押し広げられることになるため、容器外側の嵌合部分が嵌り合う間に容器本体内部の空気が抜けて内圧を下げることができ、閉蓋しやすくなる。
【００４９】
このように、包装用容器の内外嵌合構造１は、嵌合凸部４の容器内側に位置する上部傾斜面４２ａの長さ（Ｌ１）を、嵌合凸部４の容器外側に位置する上部傾斜面４２ｂの長さ（Ｌ２）よりも長くしたことにより、密閉性を確保しながら、容器内部の内圧を高めることなく閉蓋できるものである。そのため、内外嵌合構造１は、弁当、野菜、果実、惣菜など汁気が滲出しやすい食品の包装用容器に適したものである。
【００５０】
上記実施形態の構成態様は、本発明を限定するものとして挙げたものではなく、技術目的を共通にするかぎり変更は可能であり、本発明はそのような変更を含むものである。例えば、容器本体２と蓋体３とをヒンジなどで一体的に形成した、いわゆるフードパックなども当然に含まれるものである。
【符号の説明】
【００５１】
１包装用容器の内外嵌合構造
１ａ包装用容器
２容器本体
２１底面部
２２周壁部
２３収容部
２４開口部
２５鍔部
２６摘み部
３蓋体
３１天板部
３２鍔部
３３摘み部
４嵌合凸部
４１ａ，４１ｂ下部傾斜面
４２ａ，４２ｂ上部傾斜面
４３先端面部
５嵌合凹部
５１ａ，５１ｂ下部傾斜面
５２ａ，５２ｂ上部傾斜面
５３先端面部
５４開口部
【図１】
2017137124.tif 000003
【図２】
2017137124.tif 000004
【図３】
2017137124.tif 000005
【図４】
2017137124.tif 000006
【図５】
2017137124.tif 000007
【図６】
2017137124.tif 000008
【図７】
2017137124.tif 000009